(57)【特許請求の範囲】
【請求項１】
入力電源部と、
入力電源を照明供給電源に変換するコンバーターと、
前記入力電源を駆動電源に変換するバイアス電源と、
前記照明供給電源が印加されて発光する照明部と、
前記照明部を制御する調光信号を入力する調光器（Dimmer）と、
前記調光信号を受信してパルス幅変調（ＰＷＭ）信号を生成するパルス幅変調（ＰＷＭ）生成部と、
前記パルス幅変調（ＰＷＭ）信号に応じて前記照明供給電源を制御するパルス幅変調（ＰＷＭ）制御部と、
前記コンバーター出力端の電流値又は電圧値を入力される第１の入力端及び前記パルス幅変調（ＰＷＭ）信号を入力される第２の入力端を含む、パルス幅変調（ＰＷＭ）信号を増幅する増幅器と、
前記パルス幅変調（ＰＷＭ）信号を前記増幅器に入力するための基準値に変換する変換部と、
を含み、
前記第１の入力端は、前記コンバーター出力端の電流値と電圧値がＯＲゲートを介して入力され、
前記入力電源部、前記コンバーター、前記照明部及び前記パルス幅変調（ＰＷＭ）制御部は、第１の接地に接続され、前記バイアス電源、前記調光器及び前記パルス幅変調（ＰＷＭ）生成部は、第２の接地に接続されており、
前記第１の接地と前記第２の接地は、電気的に分離され、
前記コンバーターは、
前記パルス幅変調（ＰＷＭ）制御部に接続される第１のトランジスタ及び第２のトランジスタと、
前記第１のトランジスタ及び前記第２のトランジスタに応じて前記入力電源を変換する第１のトランスと、を含み、
前記バイアス電源は、前記第１のトランジスタ及び前記第２のトランジスタに応じて前記入力電源を変換する第２のトランスを含むことを特徴とする調光器及びドライバが電気的絶縁構造を有する照明装置。
【請求項２】
前記調光器は、
０−１０Ｖの調光信号、１−１０Ｖの調光信号、パルス幅変調（ＰＷＭ）の調光信号のうち少なくともいずれか一つの調光信号を入力することを特徴とする請求項１に記載の調光器及びドライバが電気的絶縁構造を有する照明装置。
【請求項３】
前記調光器と直列に接続される第１の抵抗及び前記第１の抵抗に並列に接続される第１のキャパシターを含み、前記調光信号のノイズを除去する第１のフィルターをさらに含む請求項１に記載の調光器及びドライバが電気的絶縁構造を有する照明装置。
【請求項４】
前記パルス幅変調（ＰＷＭ）生成部は、
前記調光信号と入力信号を比較してパルス幅変調（ＰＷＭ）信号を生成する比較器を含む請求項１に記載の調光器及びドライバが電気的絶縁構造を有する照明装置。
【請求項５】
前記入力信号は、
鋸波パルス（sawtooth  pulse）又はチョッピングパルス（chopping  pulse）であることを特徴とする請求項４に記載の調光器及びドライバが電気的絶縁構造を有する照明装置。
【請求項６】
前記バイアス電源は、整流器およびキャパシターをさらに含み、
前記比較器は、前記バイアス電源によって前記駆動電源を供給されることを特徴とする請求項４に記載の調光器及びドライバが電気的絶縁構造を有する照明装置。
【請求項７】
前記パルス幅変調（ＰＷＭ）生成部は、
前記パルス幅変調（ＰＷＭ）生成部の出力端と変換部との間に接続されており、前記パルス幅変調（ＰＷＭ）信号を変換するフォトカプラをさらに含むことを特徴とする請求項１に記載の調光器及びドライバが電気的絶縁構造を有する照明装置。
【請求項８】
前記パルス幅変調（ＰＷＭ）生成部は、
前記フォトカプラと直列に接続される第２の抵抗及び前記第２の抵抗に並列に接続される第２のキャパシターを含み、前記フォトカプラによって反転されたパルス幅変調（ＰＷＭ）信号のノイズを除去する第２のフィルターをさらに含むことを特徴とする請求項７に記載の調光器及びドライバが電気的絶縁構造を有する照明装置。
【請求項９】
前記パルス幅変調（ＰＷＭ）制御部と前記照明部との間にフィードバックの形で接続されるフィードバック制御部をさらに含むことを特徴とする請求項１に記載の調光器及びドライバが電気的絶縁構造を有する照明装置。
【発明の詳細な説明】
【技術分野】
【０００１】
本発明は、入力電源部と、入力電源を照明供給電源に変換するコンバーターと、照明部の供給電源が印加されて発光する照明部と、照明部を制御する調光信号を入力する調光器（Dimmer）と、調光信号を受信してパルス幅変調（ＰＷＭ）信号を生成するＰＷＭ生成部と、ＰＷＭ信号に応じて照明部の供給電源を制御するＰＷＭ制御部と、を含み、入力電源部、コンバーター、照明部及びＰＷＭ制御部は、第１の接地に接続され、調光器及びＰＷＭ生成部は、第２接地に接続されており、第１の接地と第２接地は、電気的に分離されていることを特徴とする調光器及びドライバが電気的絶縁構造を有する照明装置に関する。
【背景技術】
【０００２】
発光ダイオード（ＬＥＤ：Light Emitting Diode）は、電気エネルギーを光に変換する半導体素子の一種である。 発光ダイオードは、蛍光灯、白熱灯など既存の光源に比べて低消費電力、半永久的な寿命、速い応答速度、安全性、環境へのやさしさというメリットを有する。特に、ＬＥＤ照明装置は、配設された多数のＬＥＤの点滅順序、発光色及び明るさなどの制御により様々な演出を行うことができる。
【０００３】
したがって、既存の在来式光源を発光ダイオードに代替するための多くの研究が進められており、ＬＥＤは、室内外で使用される各種のランプ、液晶表示装置、電光掲示板及び街灯などのような照明装置の光源として使用が増加している傾向である。特に室内インテリアの一般的な照明、特定の雰囲気を演出するための舞台照明、広告照明及び景観照明などの用途に用いられている。
【０００４】
照明装置は、景観照明として建物の外壁、公園、街路灯、橋の欄干又は公演場に設置できるが、適用される用途や対象又は場所に応じて、その大きさ及び適用システムがそれぞれ異なり得る。つまり、建物の外壁に設けられるものは、建物の外壁に帯状に配設されており、単純な点滅機能を行い、単色又は組み合わせた色を単純に表出して用いられる照明装置であり、また、公園や街路灯、橋の欄干などに設けられるものは、対象物の形状に応じて不規則に配設し、点滅や色を変更して用いられる照明装置である。
【０００５】
さらに、ＬＥＤ照明は、長寿命を持ち、従来の照明に比べて高効率を有しているため、急速に普及しつつあり、気候変動と時間に応じて照度を変更することができる調光器（Dimmer）が商用化されている。このような調光器の制御方法により、無線通信用と有線通信用に分けられており、特に無線通信を用いる場合では、それぞれのドライバにディムライン(Dim line：＋−)を調整して明るさを調整している。
【０００６】
また、最近では多くの分野で多様に用いられる照明装置の調光（dimming）制御は非常に精密な制御を必要とする。照明装置が単純なオン／オフ機能を超えて、照明装置を弱／中弱／中／中強／強などのユーザーのニーズに応じて複数の照度レベルで精密に制御しなければならない必要性が求められていた。
【０００７】
一方、照明装置の有線調光制御のためには、調光器とＬＥＤドライバの電気的な接続が必須的である。従来の照明装置の場合、電気的な接続により調光器の接地とＬＥＤ照明部との 同電位するため、下部フィールドの不良が発生する可能性があるという潜在的な危険が存在する。
【０００８】
このとき、一般的なフィールドの実現条件（field implementation condition）には、一つの調光器と複数のＬＥＤドライバ及びＬＥＤ照明部が接続されるという条件が存在するが、このため、意図せずに接続される多数のＬＥＤ照明の電位が同一になる状態が発生する恐れがある。したがって、調光器の操作のための別途のインターフェースが存在しない場合、ユーザーの操作時に、ＬＥＤ照明部の漏れ電流が人体を流れるという問題が発生する。
【発明の概要】
【発明が解決しようとする課題】
【０００９】
本発明は、上記問題点に鑑みてなされたものであり、調光器及びドライバの接地を分離することにより、ＬＥＤ照明部の漏れ電流を防止する照明装置を提供することを目的とする。
【００１０】
本発明が解決しようとする技術的課題は、上述した技術的課題に制限されず、後術する内容から通常の技術者に自明な範囲内において様々な技術的課題が含まれる。
【課題を解決するための手段】
【００１１】
前記のような課題を解決するための調光器及びドライバが電気的絶縁構造を有する照明装置は、入力電源部と、入力電源を照明供給電源に変換するコンバーターと、前記照明部の供給電源が印加されて発光する照明部と、前記照明部を制御する調光信号を入力する調光器（Dimmer）と、前記調光信号を受信してＰＷＭ信号を生成するＰＷＭ生成部と、前記ＰＷＭ信号に応じて前記照明部の供給電源を制御するＰＷＭ制御部と、を含み、前記入力電源部、前記コンバーター、前記照明部及び前記ＰＷＭ制御部は、第１の接地に接続され、前記調光器は及び前記ＰＷＭ生成部は、第２の接地に接続されており、前記第１の接地と前記第２の接地は、電気的に分離されていることを特徴とする。
【００１２】
また、本発明の一実施例に係る調光器及びドライバが電気的絶縁構造を有する照明装置は、前記コンバーターが、前記ＰＷＭ制御部に接続される第１のトランジスタ及び第２のトランジスタと、前記第１のトランジスタ及び前記第２のトランジスタに応じて入力電源を変換する第１のトランスと、を含むことを特徴とする。
【００１３】
さらに、本発明の一実施例に係る調光器及びドライバが電気的絶縁構造を有する照明装置は、前記調光器が、０−１０Ｖの調光信号、１−１０Ｖの調光信号、ＰＷＭの調光信号のうち少なくともいずれか一つの調光信号を入力することを特徴とする。
【００１４】
加えて、本発明の一実施例に係る調光器及びドライバが電気的絶縁構造を有する照明装置は、前記調光器と直列に接続される第１の抵抗及び前記第１の抵抗に並列に接続される第１のキャパシターを含み、前記調光信号のノイズを除去する第１のフィルターをさらに含むことを特徴とする。
【００１５】
なお、本発明の一実施例に係る調光器及びドライバが電気的絶縁構造を有する照明装置は、前記ＰＷＭ生成部が、前記調光信号と入力信号を比較してＰＷＭ信号を生成する比較器を含むことを特徴とする。このとき、前記入力信号は、鋸波パルス（sawtooth pulse）又はチョッピングパルス（chopping pulse）であることを特徴とする。
【００１６】
そして、本発明の一実施例に係る調光器及びドライバが電気的絶縁構造を有する照明装置は、第２のトランス、整流器、およびキャパシターを含むバイアス電源をさらに含み、前記比較器は、前記バイアス電源によって駆動電源を供給されることを特徴とする。このとき、前記バイアス電源は、第２の接地に接続されていることを特徴とする。
【００１７】
また、本発明の一実施例に係る調光器及びドライバが電気的絶縁構造を有する照明装置は、 前記ＰＷＭ生成部が、前記ＰＷＭ生成部の出力端と変換部との間に接続されており、前記ＰＷＭ信号を変換するフォトカプラをさらに含むことを特徴とする。
【００１８】
このとき、本発明の一実施例に係る調光器及びドライバが電気的絶縁構造を有する照明装置は、前記ＰＷＭ生成部が、前記フォトカプラと直列に接続される第２の抵抗及び前記第２の抵抗に並列に接続される第２のキャパシターを含み、前記反転されたＰＷＭ信号のノイズを除去する第２のフィルターをさらに含むことを特徴とする。
【００１９】
なお、本発明の一実施例に係る調光器及びドライバが電気的絶縁構造を有する照明装置は、前記ＰＷＭ制御部と前記照明部との間にフィードバックの形で接続されているフィードバック制御部をさらに含むことを特徴とする。
【００２０】
加えて、本発明の一実施例に係る調光器及びドライバが電気的絶縁構造を有する照明装置は、前記コンバーター出力端の電流値又は電圧値を入力される第１の入力端及び前記ＰＷＭ信号を入力される第２の入力端を含む、ＰＷＭ信号を増幅する増幅器をさらに含むことを特徴とする。
【００２１】
このとき、本発明の一実施例に係る調光器及びドライバが電気的絶縁構造を有する照明装置は、前記第１の入力端が、前記コンバーター出力端の電流値と電圧値がＯＲゲートを介して入力されることを特徴とする。また、前記ＰＷＭ信号を前記増幅器に入力するための基準値に変換する変換部をさらに含むことを特徴とする
【００２２】
一方、本発明の一実施例に係る調光器及びドライバが電気的絶縁構造を有する照明システムは、照明装置を制御する調光信号を入力する調光器と、前記調光信号を受信してＰＷＭ信号を生成し、前記ＰＷＭ信号に基づいて照明部を調光する少なくとも一つ以上の照明装置と、を含み、前記照明装置は、第１の接地に接続され、前記調光器は、第２の接地に接続されており、前記第１の接地と前記第２の接地は、電気的に分離されていることを特徴とする。
【発明の効果】
【００２３】
本発明の調光器及びドライバが電気的絶縁構造を有する照明装置及びシステムは、従来の２次接地と調光制御部が電気的に分離されるため、潜在的な不良要因を除去することができる。
【００２４】
より具体的には、本発明の調光器及びドライバが電気的絶縁構造を有する照明装置及びシステムは、外部の落雷及びサージノイズ（surge noise）の影響に起因する被害を最小限に抑えることができる。また、調光器によりＬＥＤ照明器具（Luminaire）の漏れ電流の流れを根本的に防ぐことができる。
【００２５】
また、従来の照明装置は、２つ以上のＬＥＤ照明が一つの調光器に接続されるため、漏れ電流の量が蓄積されて調光器の許容量に制限がかかるようになるが、本発明の調光器及びドライバが電気的絶縁構造を有する照明装置およびシステムは、調光器への漏れ電流の流れが発生しないため、２以上のＬＥＤ照明器具が接続されても漏れ電流の故に調光器の許容量に制限がかかることなく使用することができる。
【００２６】
また、本発明の調光器及びドライバが電気的絶縁構造を有する照明装置及びシステムは、 ＬＥＤ照明器具の漏れ電流の調光器への流れが発生しないため、ユーザーの操作に起因して漏れ電流が人体を流れることを防止することができる。
【図面の簡単な説明】
【００２７】
【図１】従来の照明装置を示す構成図である。
【図２】本発明の一実施例に係る調光器及びドライバが電気的絶縁構造を有する照明装置を示す構成図である。
【図３】本発明の一実施例に係る調光器及びドライバが電気的絶縁構造を有する照明装置の調光器およびＰＷＭ生成部を示す例示図である。
【図４】（ａ）および（ｂ）本発明の一実施例に係るＰＷＭ信号を示す例示図である。
【図５】従来の照明装置の接地の構成を示す例示図である。
【図６】本発明の照明装置の接地の構成を示す例示図である。
【発明を実施するための形態】
【００２８】
以下、 本発明に係る「調光器とドライバが電気的絶縁構造を有する照明装置及びシステム」を添付図面を参照して詳細に説明する。ここで説明する実施例は、本発明の技術思想を通常の技術者が理解し易いように提供されるものであり、これらにより本発明が限定されることはない。なお、添付図面に示す事項は、本発明の実施例について説明し易いように図式化された図面であり、実際に実現される形態とは異なる場合がある。
【００２９】
一方、以下で表現される各構成部は、本発明を実現するための一例に過ぎない。したがって、本発明の他の実施例においては、本発明の思想及び範囲を逸脱しない範囲において他の構成部が使用可能である。
【００３０】
また、ある構成要素を「含む」という表現は「開放型」の表現であり、当該構成要素が存在することを単に指し示すものに過ぎず、更なる構成要素を排除するものと理解されてはならない。
【００３１】
更に、「第１の、第２の」などの表現は、複数の構成要素を区別するために用途にのみ用いられた表現であり、構成要素間の順序やその他の特徴を限定しない。
【００３２】
更にまた、本発明の「電源」は、「電圧」、「電力」、「電流」など通常の電気回路に使用可能な電気エネルギーのあらゆる種類を網羅する。
【００３３】
図１は、従来の照明装置を示す構成図である。
【００３４】
図１を参照すると、従来の照明装置１００は、入力電源部１１０と、照明部１２０と、フィードバック制御部１３０と、調光器１４０とを含むことができる。
【００３５】
このとき、従来の照明装置では、調光器がフィードバック制御部又はＰＷＭ制御部に調光信号を直接入力し、コンバーターや照明部などと電気的に直接接続される。このため、接地と照明部間の電気的な接続が発生するので、多数のＬＥＤ照明と接続される場合、電位が共通となる状態が発生する可能性がある。
【００３６】
したがって、ユーザーが照明装置を操作する場合、照明部の漏れ電流が人体を流れるという問題が発生する恐れがあり、これは照明装置の寿命と安定性、性能などの多方面においてデメリットとなる。
【００３７】
本発明の照明装置は、調光器の接地及びドライバの接地として互いに異なる接地を使用し、ドライバは第１の接地に、調光器は第２の接地にそれぞれ接続し、第１の接地と第２の接地は、電気的に分離されるように構成することにより、上述した従来の照明装置の問題点を解決する。これに対する詳細な説明は、図２〜図６を参照する。
【００３８】
図２は、本発明の一実施例に係る調光器及びドライバが電気的絶縁構造を有する照明装置を示す構成図である。
【００３９】
図２を参照すると、本発明の照明装置２００は、入力電源部２１０と、コンバーター２１１と、照明部２２０と、調光器２４０と、ＰＷＭ生成部２１２と、ＰＷＭ制御部２１２とを含むことができる。入力電源部２１０は、照明装置の全体的な入力電源を供給する。このとき、入力電源部２１０に入力される入力電源は、２２０Ｖの常用電源であることが好ましく、２２０Ｖ常用電源の場合、-３１１Ｖから＋３１１Ｖの範囲において周期的に交番するサイン波状を呈する。より具体的に、入力電源部は、電源装置に用いられる複数の素子の供給電源の役割を果たす。
【００４０】
コンバーター（２１１）は、入力電源を照明供給電源に変換する。このようなコンバーターは、主電源を受信してシステムに求められる安定的で且つ効率的な電源に変換供給する電力調節の役割を果たす。特に、本発明のコンバーターは、交流電源を直流電源に変換するＡＣ／ＤＣコンバーター（ＡＣ／ＤＣ Converter）により実現されてもよく、電力のロスを最小限に抑えながらも所望の電力の変換のためにダイオード整流器、位相制御整流器、ブリッジ整流器など様々な整流回路、多数のスイッチ及びトランスを用いてＡＣ／ＤＣ変換を行うことができる。
【００４１】
より具体的には、コンバーター２１１は、第１のトランジスタ、第２のトランジスタ及び第１のトランス２１３を含むことができる。第１のトランジスタ及び第２のトランジスタは、ＰＷＭ制御部と接続されてＰＷＭ制御部のＰＷＭ信号に基づいてスイッチング動作を行い、トランスは、スイッチング動作に応じて入力電源を巻線比によって変換する。
【００４２】
ＰＷＭ制御部２１２は、ＰＷＭ信号に基づいて照明供給電源を制御する。ＰＷＭ制御部は、ＰＷＭ生成部が生成したＰＷＭ信号を受信し、ＰＷＭ信号に基づいて照明部を制御する。特に、トランスのエネルギーを得るためにパルス幅変調（pulse width modulation）を行い、必要なサイクル（duty）又は周波数だけパルス幅変調（ＰＷＭ）又は周波数変調 （Frequency modulation）を行うことができる。
【００４３】
照明部２２０には照明部の供給電源が印加されて照明部２２０が発光する。コンバーターが入力電源を照明供給電源に変換して印加する。特に、本発明の照明部２２０は、発光ダイオード（ＬＥＤ）により構成されてもよい。発光ダイオード（ＬＥＤ）は、半導体ベースの光源であり、低コスト、長寿命、小型化、環境にやさしい廃棄物処理、エネルギー低消費、高効率、直線性などの様々なメリットを有しているので、一般的に汎用される光源である。
【００４４】
調光器（Dimmer、２４０）は、照明部を制御する調光信号を入力する。このような調光器は、電灯の光度、照度又は色彩を連続的に加減して変化させるための装置であり、有線操作および無線操作（遠隔操作）がすべて可能である。
【００４５】
特に、本発明の調光器は、０−１０Ｖの調光信号、１−１０Ｖの調光信号、ＰＷＭの調光信号のうち少なくともいずれか一つの調光信号を入力することを特徴とする。０−１０Ｖの調光信号は、制御線の電圧を０Ｖから１０Ｖまで可変させて制御する方式であり、１−１０Ｖの調光信号は、１Ｖから１０Ｖまで可変させて制御する方式である。また、パルス幅変調（ＰＷＭ）調光信号とは、周期的なパルスのパルス幅を調光量に応じた信号波の大きさに変えた信号のことをいい、パルス幅変調（ＰＷＭ）方式は、電源を制御する周波数の幅を変調して電流量を調整する方式である。本発明の調光器は、この他にも汎用される様々な調光信号を入力して使用することができる。
【００４６】
また、本発明の調光器によって入力された調光信号は、第１のフィルター２６１、２６２によってノイズが除去され得る。第１のフィルターは、調光器と直列に接続される第１の抵抗２６１及び第１の抵抗に並列に接続される第１のキャパシター２６２を含み、ＲＣノイズ除去フィルター（Low-pass filter）の役割を果たす。
【００４７】
ＰＷＭ生成部（２６０）は、調光器からの調光信号を受信してＰＷＭ信号を生成する。アナログ信号又はＰＷＭ信号で構成された調光信号がＰＷＭ信号に変換され、照明部の調光制御に用いられる。図３及び図４は、本発明の一実施例に係る調光器及びドライバが電気的絶縁構造を有する照明装置の調光器およびＰＷＭ生成部を示す例示図である。
【００４８】
図３を参照すると、調光器の調光信号は、第１のフィルターを通過するか、又はすぐに比較器２６３に入力してもよい。このとき、比較器２６３は、調光信号と入力信号を比較してＰＷＭ信号を生成してもよい。通常、比較器（Comparator）は、ある情報の二つの表現形式を比較してサイズ、順序、特性などに違いがあるかどうかを判断する。特に、複数の信号を評価し、出力端においてハイ（High）又はロウ（Low）レベルのＰＷＭ信号を生成する。
【００４９】
より具体的に、比較器は、入力端の一端に調光信号を入力され、入力端の他端に入力信号を入力され、その後、両方の信号を比較する。このとき、入力信号は、鋸波パルス（sawtooth pulse）又はチョッピングパルス（chopping pulse）であることを特徴とする。また、比較器の（＋）端子に入れる信号と（−）端子に入れる信号との差が正数である場合にはハイレベルに変換し、信号の差が負数である場合にはロウレベルに変換する。
【００５０】
図４を参照すると、比較器の調光信号と入力信号が入力される場合に生成されるＰＷＭ信号の周期幅を確認することができる。図４（ａ）の場合、調光信号がハイレベルのとき、鋸波パルスと比較して生成されるＰＷＭ信号の周期幅は、高い周期幅であることが確認できる。また、図４（ｂ）の場合、調光信号がロウレベルのとき、鋸波パルスと比較して生成されるＰＷＭ信号の周期幅が低い周期幅であることが確認できる。
【００５１】
例えば、調光信号が０−１０Ｖ信号から８Ｖの信号である場合、鋸波パルスと比較された後、８０％のサイクル幅のＰＷＭ信号が生成され得る。また、調光信号が２Ｖの信号である場合、鋸波パルスと比較された後、２０％のサイクル幅のＰＷＭ信号が生成され得る。したがって、調光器のレベルを調整してＰＷＭ信号の周期幅を一緒に調整することができる。
【００５２】
また、ＰＷＭ生成部は、ＰＷＭ生成部の出力端と変換部との間に接続され、ＰＷＭ信号を変換するフォトカプラ２６５をさらに含むことができる。フォトカプラは、電気信号を光で結合させる装置であり、発光部と受光部が互いに電気的に絶縁されている。また、フォトカプラは光を利用することから騒音が小さく、システムを構成する装置間の電源を絶縁でき、各装置ごとに接地することができる。本発明のフォトカプラは、比較器から出力されるＰＷＭ信号を受信するフォトダイオードと、フォトダイオードの光信号を電気信号に変換するフォトトランジスタとを含むことができる。
【００５３】
特に、本発明のフォトカプラは、生成されたＰＷＭ信号を反転させることができる。ＰＷＭ信号がハイ−ロウ−ハイ−ロウ−ハイレベルで生成される場合、フォトカプラのフォトトランジスタの上部に印加される値は、ロウ−ハイ−ロウ−ハイ−ロウレベルに反転することができる。
【００５４】
このとき、本発明のフォトカプラによるＰＷＭ信号は、第２のフィルター２６６によってノイズが除去できる。第２のフィルターは、調光器に直列に接続される第２の抵抗２６８及び第２の抵抗に並列に接続される第２のキャパシター２６７を含み、ＲＣノイズ除去フィルター（Low-pass filter）の役割を果たす。ＲＣフィルターを経た反転したＰＷＭ信号はＤＣ値に変化し、調光器の大きさの変化に応じて、ＤＣ値の大きさも変化することができる。
【００５５】
一方、本発明のＰＷＭ生成部は、第１の接地と第２の接地にそれぞれ接続してもよい。より具体的には、ＰＷＭ生成部の第２のフィルター及びフォトトランジスタは、第１の接地に接続することができ、調光器２４０、第１のフィルター、及び比較器（２６３）は、第２の接地に接続することができる。このとき、第１の接地と第２の接地は、電気的に分離されているので、調光器は照明装置と電気的に絶縁状態に配置され得る。故に、ユーザーが調光器を動作させても、これに起因して発生する漏れ電流による漏電の可能性を低減することができる。
【００５６】
また、比較器の供給電源も第２の接地に接続して分離させることができる。特に、供給電源は、一般的な電圧源を使用しても構わないが、照明装置のトランスにおいて別のバイアス電源２７０を生成して使用することもできる。
【００５７】
このとき、本発明のバイアス電源２７０は、第２のトランス、整流器およびキャパシターを含むことができる。第２のトランスは、コンバーターのトランスにおいて巻線を接続したもので、常用電源をそのまま使用して変換することができるというメリットがある。また、バイアス電源が照明装置からの入力電源を変換させるので、バイアス電源も第２の接地と接続させて電気的な絶縁を行うことができる。
【００５８】
フィードバック制御部２３０は、ＰＷＭ信号を受信し、ＰＷＭ制御部と照明部との間にフィードバックの形で接続される。フィードバック制御の場合、ＰＷＭ信号のエラー（error）値が大きければ、パルス幅を大きく調整し、エラー値が小さければ、パルス幅を小さく調整することにより、誤差を補正できるようにする。
【００５９】
また、フィードバック制御部は、ＰＷＭ生成部からＰＷＭ信号を受信するとき、増幅器２８２を経由することができる。増幅器２８２は、コンバーター出力端の電流値又は電圧値を入力される第１の入力端及びＰＷＭ信号を入力される第２の入力端を含み、ＰＷＭ信号を増幅することができる。
【００６０】
第１の入力端は、増幅器の（＋）入力端から構成されることができ、コンバーター出力端の電流値と電圧値がＯＲゲートを介して入力されることができる。照明部と接続されているコンバーター出力端の場合、状況に応じて電流値及び電圧値を検出することができ、電流値及び電圧値に基づいてＰＷＭ信号が照明部を調光制御することができる。また、ＯＲゲートに入力されるので、電流値及び電圧値のうちいずれか一つの値のみを満たしても第１の入力端に入力されることができる。
【００６１】
第２の入力端は、増幅器の（−）入力端から構成されることができ、ＰＷＭ生成部が生成したＰＷＭ信号を入力される。特に、ＰＷＭ信号を増幅器に入力するために基準値に変換する変換部２８１を経由することができる。つまり、コンバーター出力端の電流値又は電圧値とＰＷＭ信号のレベルが異なる可能性があるため、変換部を経た後、増幅器を介して増幅できるようにする。例えば、コンバーター出力端の電圧値が０〜１Ｖレベルに変化するに際して、ＰＷＭ信号のレベルが０〜１０Ｖレベルに変化した場合、変換部はＰＷＭ信号のレベルを１／１０に下げた後に増幅器に入力する。
【００６２】
一方、図５及び図６は、従来の照明装置と本発明の照明装置が接地を異にする構成を示す例示図である。本発明の照明システムは、調光器３４０と、少なくとも一つ以上の照明装置３３１、３３２、３３３とを含むことができ、調光器と照明装置の接地は、電気的に分離されていることを特徴とする。
【００６３】
図５を参照すると、従来の照明装置は、調光器３２０の接地と複数の照明装置３１１、３１２、３１３の接地が相互に接続されている。また、マルチ照明用灯器具と１つの調光器が互いに接続される場合では、すべて同じ接地を使用するため、照明装置に流れる電流又は電圧は非常に高く、特に複数の照明装置が接続される場合、互いに影響を与えるので、これにより発生する漏れ電流又は電圧を防止する必要がある。
【００６４】
図６を参照すると、本発明の照明装置は、調光器３４０の接地と複数の照明装置３３１、３３２、３３３の接地が互いに分離されている。照明装置の第１の接地と調光器の第２の接地は互いに独立していて、 ＬＥＤ照明器具の漏れ電流の調光器への流れがないため、ユーザーの操作に起因して漏れ電流が人体を流れることを防止することができる。
【００６５】
上述した本発明の実施例は例示のために開示されたものであり、これらにより本発明が限定されることはない。なお、本発明が属する技術分野における通常の知識を有する者であれば、本発明の思想及び範囲内において様々な修正及び変更を加えることができ、このような修正及び変更は本発明の範囲に属するものと見なすべきである。
【符号の説明】
【００６６】
１００  従来の照明装置
１１０  従来の入力電源部
１２０  従来の照明部
１３０  従来のフィードバック制御部
１４０  従来の調光器
２００  照明装置
２１０  入力電源部
２１１  コンバーター
２１２  ＰＷＭ制御部
２１３  第１のトランス
２２０  照明部
２３０  フィードバック制御部
２４０  調光器
２５１  第１の接地
２５２  第２の接地
２６０  ＰＷＭ生成部
２６１  第１の抵抗
２６２  第１のキャパシター
２６３  比較器  
２６４  入力信号
２６５  フォトカプラ
２６６  第２のフィルター
２６７  第２の抵抗
２６８  第２のキャパシター
２７０  バイアス電源
２７１  第２のトランス
２７２  ダイオード
２７３  キャパシター
２８１  変換部
２８２  増幅器
２８３  ＯＲゲート
【図１】
0006373947.tif 000002
【図２】
0006373947.tif 000003
【図３】
0006373947.tif 000004
【図４】
0006373947.tif 000005
【図５】
0006373947.tif 000006
【図６】
0006373947.tif 000007